(57)【要約】【課題】バリ取りや研磨・研削を早く行うことができ且つ折れて飛ぶことを抑制することができるブラシ素材およびブラシを提供する。【解決手段】本発明のブラシ素材は、ダイヤモンド砥粒が電着又は溶着された金属線材の表面の少なくとも一部がカバー部材によって覆われていることを特徴とする。【選択図】図１
2014113404.tif 000002
【特許請求の範囲】
【請求項１】
ダイヤモンド砥粒が電着又は溶着された金属線材の表面の少なくとも一部がカバー部材によって覆われていることを特徴とするブラシ素材。
【請求項２】
前記カバー部材には、砥粒が２重量％以上８０重量％以下含有されている、請求項１に記載されているブラシ素材。
【請求項３】
ダイヤモンド砥粒が電着又は溶着された前記金属線材は複数存しており、複数の前記金属線材を束ねた状態において表面の少なくとも一部が前記カバー部材によって覆われている、請求項１又は２に記載されているブラシ素材。
【請求項４】
ダイヤモンド砥粒が電着又は溶着された前記金属線材は複数存しており、複数の前記金属線材を編んだ状態において表面の少なくとも一部が前記カバー部材によって覆われている、請求項１又は２に記載されているブラシ素材。
【請求項５】
金属性ブラシ毛、樹脂性ブラシ毛、動物性ブラシ毛及び植物性ブラシ毛から選ばれた少なくとも１種類のブラシ毛と、請求項１から４に記載されたいずれか一つのブラシ素材とを編んだブラシ素材。
【請求項６】
ダイヤモンド砥粒が電着又は溶着された金属線材の表面の少なくとも一部が第１のカバー部材によって覆われているブラシ素材本体を複数編んだ状態において表面の少なくとも一部が第２のカバー部材によって覆われていることを特徴とするブラシ素材。
【請求項７】
前記第１のカバー部材及び前記第２のカバー部材の少なくとも一方には、砥粒が２重量％以上８０重量％以下含有されている、請求項６に記載されているブラシ素材。
【請求項８】
ダイヤモンド砥粒が電着又は溶着された金属線材を複数本束ねて又は編んで、その表面を、金属性ブラシ毛、樹脂性ブラシ毛、動物性ブラシ毛及び植物性ブラシ毛から選ばれた少なくとも１種類のブラシ毛によって編まれてなる鞘部材によって覆い、前記鞘部材の少なくとも一部がカバー部材によって覆われている、ブラシ素材。
【請求項９】
前記カバー部材には、砥粒が２重量％以上８０重量％以下含有されている、請求項８に記載されているブラシ素材。
【請求項１０】
請求項１から９に記載されたいずれか一つのブラシ素材を用いて形成されたブラシ。
【請求項１１】
金属性ブラシ毛、樹脂性ブラシ毛、動物性ブラシ毛及び植物性ブラシ毛から選ばれた少なくとも１種類のブラシ毛が混毛されている、請求項１０に記載されているブラシ。
【請求項１２】
樹脂、紙、コルク、布、及び皮から選ばれた１種類以上のブラシ毛本体の表面の少なくとも一部が第３のカバー部材によって覆われているブラシ毛が混毛されている、請求項１０に記載されているブラシ。
【請求項１３】
前記第３のカバー部材には、砥粒が２重量％以上８０重量％以下含有されている、請求項１２に記載されているブラシ。
【請求項１４】
樹脂、紙、コルク、布、及び皮から選ばれた１種類以上の前記ブラシ毛本体には砥粒が含有されている、請求項１２または１３に記載されているブラシ。
【発明の詳細な説明】
【技術分野】
【０００１】
本発明は、ブラシ素材及びブラシに関するものである。
【背景技術】
【０００２】
従来より、種々の金属製品のバリ取り、研磨・研削などは、各種のブラシによって行われてきた。例えば、自動車産業、航空機産業、車両・船舶産業、電子・電気産業などにおいて部品加工を行うとバリが発生してしまうが、そのバリを取り除いて部品を組み立てに用いないと、その部品が所定の位置に配置できなかったり、組み立て中にバリが取れてそれがショートなどの故障の原因となるという状況が生じてしまうため、ブラシによってそのバリを予め除去してから、その部品を用いている。あるいは、製品や部品の表面をブラシによって研磨・研削を行うこともある。
【先行技術文献】
【特許文献】
【０００３】
【特許文献１】特開平５−７６４１９号公報
【特許文献２】特開平６−１１３９２１号公報
【発明の概要】
【発明が解決しようとする課題】
【０００４】
しかしながら、バリ取りや研磨・研削の対象となる部品・製品が金属等の硬い部材であると、バリ取りや研磨・研削に時間がかかったり、ブラシ毛が折れて飛んでいき人に当たって傷つけてしまうという問題があった。
【０００５】
本発明は、かかる点に鑑みてなされたものであり、その目的とするところは、バリ取りや研磨・研削を早く行うことができ且つ折れて飛ぶことを抑制することができるブラシ素材およびブラシを提供することにある。
【課題を解決するための手段】
【０００６】
上記の課題を解決するために、本発明の第１のブラシ素材は、ダイヤモンド砥粒が電着又は溶着された金属線材の表面の少なくとも一部がカバー部材によって覆われている構成を備えている。
【０００７】
金属線材としては、鋼線やＳＵＳ線、及びこれらの表面をメッキした線などを例として挙げることができるが、それ以外の金属材料を用いた線材であっても構わない。カバー部材としては、樹脂、フェルト、紙、コルク、布、皮などを例として挙げることができる。カバー部材は、ダイヤモンド砥粒が電着又は溶着された金属線材の表面全てを覆ってもよいし、一部を覆ってもよい。
【０００８】
ブラシ素材とは、ブラシの毛材（filament material）のことであり、ブラシを構成している毛材である。
【０００９】
前記カバー部材には、砥粒が２重量％以上８０重量％以下含有されていることが好ましい。ここでの砥粒はダイヤモンド砥粒に限らず、公知のものであればどのようなものでもよいが、ダイヤモンド、アルミナ、酸化セリウム、金属、シリコン、セラミックなどを例として挙げることができる。砥粒は複数の種類を混合して用いてもよい。砥粒は、カバー部材に対して２重量％以上８０重量％以下の割合でカバー部材に含有されていることが好ましく、カバー部材の内部に存していてもよいし、カバー部材表面に存していてもよい。
【００１０】
ダイヤモンド砥粒が電着又は溶着された前記金属線材は複数存しており、複数の前記金属線材を束ねた状態において表面の少なくとも一部が前記カバー部材によって覆われている構成であってもよい。
【００１１】
ダイヤモンド砥粒が電着又は溶着された前記金属線材は複数存しており、複数の前記金属線材を編んだ状態において表面の少なくとも一部が前記カバー部材によって覆われている構成であってもよい。
【００１２】
金属性ブラシ毛、樹脂性ブラシ毛、動物性ブラシ毛及び植物性ブラシ毛から選ばれた少なくとも１種類のブラシ毛と、上述のいずれか一つのブラシ素材とを編んだ構成であってもよい。
【００１３】
本発明の第２のブラシ素材は、ダイヤモンド砥粒が電着又は溶着された金属線材の表面の少なくとも一部が第１のカバー部材によって覆われているブラシ素材本体を複数編んだ状態において表面の少なくとも一部が第２のカバー部材によって覆われている構成を備えている。
【００１４】
前記第１のカバー部材及び前記第２のカバー部材の少なくとも一方には、砥粒が２重量％以上８０重量％以下含有されていることが好ましい。
【００１５】
本発明の第３のブラシ素材は、ダイヤモンド砥粒が電着又は溶着された金属線材を複数本束ねて又は編んで、その表面を、金属性ブラシ毛、樹脂性ブラシ毛、動物性ブラシ毛及び植物性ブラシ毛から選ばれた少なくとも１種類のブラシ毛によって編まれてなる鞘部材によって覆い、前記鞘部材の少なくとも一部がカバー部材によって覆われている構成を備えている。前記カバー部材には、砥粒が２重量％以上８０重量％以下含有されていることが好ましい。
【００１６】
本発明のブラシは、上述のいずれか一つのブラシ素材を用いて形成された構成を備えている。
【００１７】
本発明のブラシは、金属性ブラシ毛、樹脂性ブラシ毛、動物性ブラシ毛及び植物性ブラシ毛から選ばれた少なくとも１種類のブラシ毛が混毛されている構成を備えていてもよいし、樹脂、紙、コルク、布、及び皮から選ばれた１種類以上のブラシ毛本体の表面の少なくとも一部が第３のカバー部材によって覆われているブラシ毛が混毛されている構成を備えていてもよい。
【００１８】
前記第３のカバー部材には、砥粒が２重量％以上８０重量％以下含有されていることが好ましい。また、樹脂、紙、コルク、布、及び皮から選ばれた１種類以上の前記ブラシ毛本体には砥粒が含有されていることが好ましい。
【発明の効果】
【００１９】
本発明のブラシ素材は、ダイヤモンド砥粒が電着又は溶着された金属線材の表面の少なくとも一部がカバー部材によって覆われているので、ダイヤモンド砥粒によって研磨能力・バリ取り能力が大きくなっていると共に、カバー部材によって金属線材が折れ飛ぶことが抑制される。
【図面の簡単な説明】
【００２０】
【図１】実施形態１に係るブラシ素材の模式的な端面の図である。
【図２】実施形態２に係るブラシ素材の模式的な端面の図である。
【図３】実施形態３に係るブラシ素材の模式的な図である。
【図４】（ａ）は実施形態４に係るブラシ素材の模式的な図であり、（ｂ）は実施形態５に係るブラシ素材の模式的な図である。
【図５】実施形態６に係るブラシ素材の模式的な図である。
【図６】（ａ）（ｂ）は、実施形態に係るシングル捻りブラシの模式的な図であり、（ｃ）（ｄ）は、実施形態に係るダブルシングル捻りブラシの模式的な図である。
【図７】実施形態に係る金属線材の端面形状を示す図である。
【発明を実施するための形態】
【００２１】
以下、本発明の実施形態を図面に基づいて詳細に説明する。以下の図面においては、説明の簡潔化のため、実質的に同一の機能を有する構成要素を同一の参照符号で示す。
【００２２】
（実施形態１）
実施形態１のブラシ素材を図１（ａ）（ｂ）に示す。本実施形態の第１のブラシ素材１０１は、ダイヤモンド砥粒１５が電着された金属線材１０の表面に樹脂３０を塗布したものであり、樹脂３０中には砥粒２１が含有されている。
【００２３】
本実施形態の第２のブラシ素材１０２は、ダイヤモンド砥粒１５が電着された金属線材１０の表面に樹脂３０を塗布したものであり、樹脂３０中には２種類の砥粒２１，２２が含有されている。即ち、第２のブラシ素材１０２は、樹脂３０中の砥粒２１，２２が２種類である点のみが第１のブラシ素材と違っている点である。
【００２４】
ダイヤモンド砥粒１５が電着された金属線材１０としては、例えばワイヤソーの素材を挙げることができる。ワイヤーソーはピアノ線等の芯線の外周面にダイヤモンド等の砥粒を電着等で固定した素材からなり、金属や岩石などの硬いワークを切断するのに用いられる。ワイヤーソーをある程度使用すると、砥粒が一部剥落してしまい、切れ味が落ちてきて切断効率が低下してくる。そのため、所定時間ワイヤーソーを使用したら、新たなワイヤーソーと取り替えるが、使用済みのワイヤーソーにも砥粒が相当数残っているため、研磨・研削能力は十分に残っている。このような使用済みワイヤーソーを本実施形態で用いると、言わば廃棄されるものを材料として使用するため、材料費用を低く抑えることができる。
【００２５】
上述のようなダイヤモンド砥粒１５が電着された金属線材１０に、１種類の砥粒２１または２種類の砥粒２１，２２を混ぜ込んだ樹脂３０を塗布して乾燥させることにより、樹脂コーティングされた本実施形態のブラシ素材１０１，１０２が出来上がる。樹脂３０としては、ナイロン、ポリオレフィン、ポリエステル、ポリウレタン、ポリビニルクロライド、アクリル樹脂、エポキシ樹脂など種々の樹脂を使用することができる。
【００２６】
樹脂３０に混合させる砥粒２１，２２としては、アルミナ、ジルコニア、シリコンカーバイド、立方晶窒化ホウ素、酸化シリコン及び酸化セリウムなどのセラミックス、あるいはダイヤモンド、あるいはＳＵＳ等の金属などを例示することができる。樹脂３０に対して２重量％以上８０重量％以下の量の砥粒２１，２２が混合されている。樹脂からなるブラシ毛の場合は、ブラシ毛としての機械強度を保つために最大でも３０重量％程度しか砥粒を混合させることができないが、金属線材１０の表面コーティング用の樹脂にはより多くの砥粒を混合させることが可能となり、研磨・研削能力が向上する。
【００２７】
このようなブラシ素材１０１，１０２を用いて図６に示すブラシ３０１，３０２を作成することができる。（ａ）はシングル捻りブラシ３０１であり、（ｂ）に示すように２本の金属芯線４１の間にブラシ素材１０１を挟み込み、金属芯線４１を捻ることによってシングル捻りブラシ３０１を作製する。さらに捻った芯線４１を固定して、持ち手を付けて完成する。
【００２８】
（ｃ）はダブルシングル捻りブラシ３０２であり、（ｄ）に示すように４本の金属心線４１に２種類のブラシ素材１０１、１０２を互いに直交するように挟み込み、金属芯線４１を捻ることによってダブルシングル捻りブラシ３０２を作製する。
【００２９】
上記の本実施形態のブラシ３０１，３０２は、ブラシ素材として金属線材のみを用いた場合に比べると、電着されたダイヤモンド砥粒１５と樹脂３０に混合された砥粒２１，２２とが存在するため研磨・研削能力が格段に高く、且つ表面に樹脂３０がコーティングされているため、ブラシ素材が折れにくくなり、たとえブラシ素材が使用中に折れても高速で飛散することが少なくなる。そして、研磨・研削能力に優れた本実施形態のブラシ３０１，３０２は、研磨・研削対象に対する押し付け圧力を低くしても十分に研磨・研削が可能であるため、ブラシ素材が使用中に折れても高速で飛散することがさらに少なくなるとともに、ブラシの寿命がより長くなる。また、押し付け量を少なくでき、カバー部材である樹脂３０によって折れないように守られているので、ブラシとして使用できる寿命が大幅に長くなる。ブラシ素材が折れて高速で飛散すると、近くの人に当たって刺さったり怪我をさせたりするおそれがあるが、本実施形態のブラシ素材を用いれば、そのような危険性がほとんどない。
【００３０】
また、図６（ｃ）（ｄ）に示すブラシ３０２において、ブラシ素材の一部を金属性ブラシ毛、樹脂性ブラシ毛、動物性ブラシ毛及び植物性ブラシ毛から選ばれた少なくとも１種類のブラシ毛としてもよい。このように混毛することにより、本実施形態のブラシ素材の効果と、混毛させるブラシ毛の効果の両方が発揮される。
【００３１】
さらに、金属性ブラシ毛、樹脂性ブラシ毛、動物性ブラシ毛及び植物性ブラシ毛から選ばれた少なくとも１種類のブラシ毛本体の表面の少なくとも一部を樹脂や紙、コルク、布及び皮から選ばれた１種類以上によって覆い、これを上記ブラシ素材１０１と混毛させてもよい。また、この場合、ブラシ素材は１０２であっても、１０１と１０２の混合物でもよい。また、金属性ブラシ毛、樹脂性ブラシ毛、動物性ブラシ毛及び植物性ブラシ毛から選ばれた少なくとも１種類のブラシ毛本体の表面を覆うものも複数の種類のものからなっていてもよいし、覆うものの中に砥粒を入れてもよい。砥粒の混合量は２重量％以上８０重量％以下の量が好ましい。
【００３２】
（実施形態２）
実施形態２のブラシ素材を図２に示す。図２（ａ）は、ダイヤモンド砥粒１５が電着された金属線材１０を３本束ねて、その表面に樹脂３０を塗布したものであり、樹脂３０中には２種類の砥粒２１，２２が含有されているブラシ素材２０１である。図２（ｂ）は、実施形態１のブラシ素材１０１をブラシ素材本体として２本と、このブラシ素材１０１とは砥粒２３のみが異なっているブラシ素材１０３をブラシ素材本体として１本、合計３本を束ねて、その表面に別の樹脂３１を塗布したものであり、樹脂３１中には砥粒２２が含有されているブラシ素材２０２である。なお、３本の線材または素材本体は、束ねる以外に捻ったり、編んだりしていても構わない。
【００３３】
本実施形態のブラシ素材２０１，２０２及びこれらを用いたブラシは、実施形態１と同様の効果を奏すると共に、実施形態１よりも機械的強度が大きくなる。本実施形態のブラシ素材２０１，２０２と金属性ブラシ毛、樹脂性ブラシ毛、動物性ブラシ毛及び植物性ブラシ毛から選ばれた少なくとも１種類のブラシ毛とを混毛させてブラシにしたり、一緒に編み込んだり、編み込んだ表面に別の樹脂等のカバー部材によって被覆をしてもよい。
【００３４】
（実施形態３）
実施形態３のブラシ素材を図３に示す。本実施形態のブラシ素材２０３は、実施形態１に示すブラシ素材１０１を構成材料として、これらを４本束ね、カバー部材であるポリエステル糸３２が巻き付けられているものであり、ポリエステル糸３２の中には、砥粒が混合されているブラシ素材である。砥粒は実施形態１と同様のものを用いることができる。この砥粒は、ポリエステル糸３２に対して２重量％以上８０重量％以下の量を混合させることが好ましい。
【００３５】
本実施形態のブラシ素材２０３及びこれらを用いたブラシは、実施形態１と同様の効果を奏すると共に、実施形態１よりも機械的強度が大きくなる。なお、カバー部材としてポリエステル以外の樹脂からなる糸やフェルト、紙、コルク、布、皮などを用いてもよい。カバー部材は糸状であってもよいし、リボン状のものであってもよい。さらにその上に樹脂をコーティングしてもよいし、その樹脂の中に砥粒を混合させてもよい。本実施形態のブラシ素材２０３と金属性ブラシ毛、樹脂性ブラシ毛、動物性ブラシ毛及び植物性ブラシ毛から選ばれた少なくとも１種類のブラシ毛とを混毛させてブラシにしたり、一緒に編み込んだり、編み込んだ表面に別の樹脂等のカバー部材によって被覆をしてもよい。
【００３６】
（実施形態４）
実施形態４のブラシ素材を図４（ａ）に示す。図４（ａ）は、金属線材の表面にダイヤモンド砥粒が電着された線材１２を複数本編み込み、その表面に樹脂３３を塗布したものであり、樹脂３３の中には砥粒２４が入れられているブラシ素材２０４である。砥粒２４は樹脂３３に対して２重量％以上８０重量％以下の量が混合されている。樹脂３３は実施形態１の樹脂３０とは種類の異なる樹脂である。砥粒２４も上述の砥粒２１，２２，２３とは異なる種類の砥粒である。樹脂３３や砥粒２４は、実施形態１で説明した樹脂、砥粒の中から選択することができる。
【００３７】
本実施形態のブラシ素材２０４及びこれらを用いたブラシは、実施形態１と同様の効果を奏すると共に、実施形態１よりも機械的強度が大きくなる。本実施形態のブラシ素材２０４と金属性ブラシ毛、樹脂性ブラシ毛、動物性ブラシ毛及び植物性ブラシ毛から選ばれた少なくとも１種類のブラシ毛とを混毛させてブラシにしたり、一緒に編み込んだり、編み込んだ表面に別の樹脂等のカバー部材によって被覆をしてもよい。
【００３８】
（実施形態５）
実施形態５のブラシ素材を図４（ｂ）に示す。図４（ｂ）は、実施形態１のブラシ素材１０１をブラシ素材本体として複数本用いて編み込みを行い、その表面に樹脂３３を塗布したものであり、樹脂３３の中には砥粒２４が入れられているブラシ素材２０５である。砥粒２４は樹脂３３に対して２重量％以上８０重量％以下の量が混合されている。樹脂３３は実施形態１の樹脂３０とは種類の異なる樹脂である。砥粒２４も上述の砥粒２１，２２，２３とは異なる種類の砥粒である。樹脂３３や砥粒２４は、実施形態１で説明した樹脂、砥粒の中から選択することができる。
【００３９】
本実施形態のブラシ素材２０５及びこれらを用いたブラシは、実施形態１と同様の効果を奏すると共に、実施形態１よりも機械的強度が大きくなる。本実施形態のブラシ素材２０５と金属性ブラシ毛、樹脂性ブラシ毛、動物性ブラシ毛及び植物性ブラシ毛から選ばれた少なくとも１種類のブラシ毛とを混毛させてブラシにしたり、一緒に編み込んだり、編み込んだ表面に別の樹脂等のカバー部材によって被覆をしてもよい。
【００４０】
（実施形態６）
実施形態６のブラシ素材を図５に示す。本実施形態のブラシ素材は、金属線材の表面にダイヤモンド砥粒が電着された線材１２を複数本束ねて、その表面を樹脂からなるリボン状カバー部材を編んだ鞘部材３４で覆ったものであり、鞘部材３４の中には砥粒が入れられているブラシ素材である。樹脂や砥粒は、実施形態１で説明した樹脂、砥粒の中から選択することができる。さらに鞘部材３４の外面を樹脂で被覆してもよく、その樹脂に砥粒を混合させてもよい。
【００４１】
本実施形態のブラシ素材及びこれを用いたブラシは、実施形態１と同様の効果を奏すると共に、実施形態１よりも機械的強度が大きくなる。本実施形態のブラシ素材と金属性ブラシ毛、樹脂性ブラシ毛、動物性ブラシ毛及び植物性ブラシ毛から選ばれた少なくとも１種類のブラシ毛とを混毛させてブラシにしたり、一緒に編み込んだり、編み込んだ表面に別の樹脂等のカバー部材によって被覆をしてもよい。
【００４２】
（実施例）
ダイヤモンド砥粒を表面に電着させた直径０．１５ｍｍのユニスチール線に、＃５００のダイヤモンド砥粒を４重量％混合させた６−ナイロンを厚み０．１５ｍｍ塗布したものを実施例１のブラシ素材として用意した。
【００４３】
ダイヤモンド砥粒を表面に電着させた直径０．１７５ｍｍのユニスチール線に、＃３２０のダイヤモンド砥粒を４重量％混合させた６−ナイロンを厚み０．１６ｍｍ塗布したものを実施例２のブラシ素材として用意した。
【００４４】
比較例１のブラシ素材として、ダイヤモンド砥粒を表面に電着させた直径０．１５ｍｍのユニスチール線を、比較例２のブラシ素材として、ダイヤモンド砥粒を表面に電着させた直径０．１７５ｍｍのユニスチール線を用意した。
【００４５】
上記の４種類のブラシ素材を用いてスクラッチブラシ（外径５０ｍｍ、軸径６ｍｍ、ブラシ高さ３０ｍｍ、軸長さ４０ｍｍ、＃３）を作製した。このスクラッチブラシを用いて、３６ｍｍ径のＳＳ４００の丸棒の研削を行った。研削条件は、ブラシ回転数が１２００ｒｐｍであり、丸棒はブラシとは反対方向に１５ｒｐｍで回転させ、ブラシの押し付け量を１．５ｍｍとし、１０分間研削を行った。
【００４６】
研削により折れて落下したブラシ素材の本数を比較したところ、実施例１が２０本であるのに対して比較例１は１８５本であり、実施例の方が約１／９の折損本数であった。また、実施例２は折損したのが１本であるのに対して比較例２は１１４本であり、実施例の方が約１／１１０の折損本数であった。このように、実施例の方が比較例よりも折損本数が大幅に少なかった。また、比較例１，２の方は、折れたブラシ素材が高速で飛散したが、実施例１，２では折れたブラシ素材は飛散せず、落下しただけであった。
【００４７】
（その他の実施形態）
上述の実施形態は本願発明の例示であって、本願発明はこれらの例に限定されず、これらの例に周知技術や慣用技術、公知技術を組み合わせたり、一部を置き換えたりしてもよい。また当業者であれば容易に思いつく改変発明も本願発明に含まれる。
【００４８】
ダイヤモンド砥粒は金属線材に溶着によって取り付けてもよい。金属線材の素材は、ピアノ線に限定されず、ＳＵＳやスチール、真鍮などでもよく、特に限定されない。金属線材の端面形状（断面形状）は図７に示すように、（ａ）円形、（ｂ）三角形、（ｃ）四角形、（ｄ）六角形、（ｅ）八角形、（ｆ）楕円、（ｇ）十字、（ｈ）三つ葉型、（ｉ）菱形など、種々の形状とすることができる。
【００４９】
本発明のブラシ素材を用いて形成されるブラシは捻りブラシの他、ロールブラシやカップブラシ、ホイールブラシなど、どのようなブラシでもよい。この場合、本発明のブラシ素材と公知の種々のブラシ素材とを混毛したり編み合わせてブラシに用いてもよい。
【００５０】
実施形態３〜５において、芯となる金属線材は全て同じ金属を用いてもよいし、異なる金属を用いてもよい。太さも同じであってもよいし、異なっていてもよい。束ねたり編んだりする本数も特に限定されない。上記の実施形態の内容同士を組み合わせてもよい。例えば、実施形態１のブラシ素材１０１や１０２を用いてその外側に実施形態６の鞘部材を設けてもよい。さらにその外側を樹脂でコーティングしてもよい。その際、樹脂の中に砥粒を混合させるのが好ましい。また、上述の実施形態に係るブラシ素材と金属性ブラシ毛、樹脂性ブラシ毛、動物性ブラシ毛及び植物性ブラシ毛から選ばれた少なくとも１種類のブラシ毛とを編んだものをブラシ素材としてもよい。
【産業上の利用可能性】
【００５１】
以上説明したように、本発明に係るブラシ素材は、バリ取りや研磨・研削早く行うことができて折れたブラシ素材の飛散を抑制でき、種々のブラシ用の素材等として有用である。
【符号の説明】
【００５２】
１０                         金属線材
１２                         金属線材
１５                         ダイヤモンド砥粒
２１，２２，２３，２４        砥粒
３０，３１，３２，３３        樹脂（カバー部材）
１０１，１０２，１０３       ブラシ素材、ブラシ素材本体
２０１，２０２               ブラシ素材
２０３，２０４，２０５        ブラシ素材
２０５                       ブラシ素材
３０１                        シングル捻りブラシ
３０２                       ダブルシングル捻りブラシ
【図１】
2014113404.tif 000003
【図２】
2014113404.tif 000004
【図３】
2014113404.tif 000005
【図４】
2014113404.tif 000006
【図５】
2014113404.tif 000007
【図６】
2014113404.tif 000008
【図７】
2014113404.tif 000009